(57)【要約】【課題】電気製品の天面に貼り付けられたラベルに皺が生じないようにすると共に、衝撃に対する保護性の向上を図る。【解決手段】梱包用緩衝材１０は、電気製品Ｐの天面Ｐ３に面接触する上方リブ１１において、天面Ｐ３のラベルＳの貼り付け箇所に対応する部分に肉盗み部１１ａを設ける。下向きの垂直荷重を受けて上方リブ１１が天面Ｐ３を押圧しても、肉盗み部１１ａによりラベルＳには押圧力がかからないため、ラベルＳに皺は発生しない。また、梱包用緩衝材１０は下側の角部１０ｄ、１０ｇより斜めに突出する対角リブ１２、１３を設けて、側方で受ける衝撃、及び角部１０ｄ、１０ｄで受ける衝撃に対して、対角リブ１２、１３でも衝撃に伴う荷重を吸収して電気製品Ｐの保護性を高める。【選択図】図１
2007131345.tif 000002
【特許請求の範囲】
【請求項１】
六面体状の被梱包物の端部周囲を覆うように凹状に形成してあり、被梱包物の天面に面接触するリブを凹状内部に備えるパルプモールド製の梱包用緩衝材において、
前記リブは、面接触する面の端側に凹部を設けたことを特徴とする梱包用緩衝材。
【請求項２】
六面体状の被梱包物の端部周囲を覆うように凹状に形成してあり、パルプモールド製の梱包用緩衝材において、
被梱包物の角部と対角的に対向する凹状内部の内方角部から被梱包物の角部へ向けて突出する対角リブを備えることを特徴とする梱包用緩衝材。
【請求項３】
六面体状の被梱包物の端部周囲を覆うように凹状に形成してあり、被梱包物の天面に面接触するリブを凹状内部に備えるパルプモールド製の梱包用緩衝材において、
前記リブは、面接触する面の端側に凹部を設けており、
被梱包物の角部と対角的に対向する凹状内部の内方角部から被梱包物の角部へ向けて突出する対角リブを備えることを特徴とする梱包用緩衝材。
【請求項４】
前記リブには、複数の凹部が形成してある請求項１又は請求項３に記載の梱包用緩衝材。
【発明の詳細な説明】
【技術分野】
【０００１】
本発明は、各種製品を梱包箱に梱包する際、製品と梱包箱の間に介在して梱包箱が受ける衝撃から製品を保護する梱包用緩衝材に関し、特に衝撃吸収性を高めると共に、梱包された製品の外観に対する商品性を維持できるようにしたものである。
【背景技術】
【０００２】
従来、工場で生産した電気製品及び電子製品のような各種製品を出荷する際、段ボール箱（梱包箱）に製品を梱包するが、段ボール箱内での製品の固定及び搬送時や保管時に受ける衝撃の緩衝等のために緩衝材が用いられる。緩衝材の材料には、合成樹脂、発泡樹脂、紙類等が用いられるが、昨今は古紙のリサイクル促進のため、古紙を材料にしてパルプモールド成形した緩衝材が使用されることがある。
【０００３】
図６は、従来の梱包形態の一例を示し、凹状に形成したパルプモールド製の梱包用緩衝材１の凹部１ａ内に保護シートＦに覆われた電気製品Ｐ（図６ではＤＶＤプレーヤ）の前面Ｐ１側を収めると共に、もう一方の梱包用緩衝材２の凹部２ａ内に電気製品Ｐの後面Ｐ２側を収め、この状態で電気製品Ｐ及び各梱包用緩衝材１、２を梱包箱Ｂの内部Ｂａに梱包する。
【０００４】
図７（ａ）に示すように、電気製品Ｐの前面Ｐ１側を覆う梱包用緩衝材１は、凹部１ａへ向けて上方リブ１ｂ、下方リブ１ｃ、及び側方リブ１ｆ等を多数突出しており、各リブ１ｂ、１ｃ、１ｆの先端を電気製品Ｐの周面に当接させて電気製品Ｐを保持すると共に、図中に示す白矢印方向から受ける荷重及び衝撃を緩衝して電気製品Ｐを保護する。なお、もう一方の梱包用緩衝材２も、図示していないが、図７（ａ）に示す構成と同様に、多数のリブを突設して電気製品Ｐの保持、及び衝撃の緩衝を行う。
【０００５】
梱包箱Ｂ内に収められた各梱包用緩衝材１、２は、梱包箱Ｂの長手方向（図６、図７（ａ）中のＸ軸方向）に沿って配置される。また、梱包箱Ｂは、出荷前や販売店倉庫での保管時、垂直方向（図６、図７（ａ）中のＺ軸方向）に約１０箱程度積み重ねられることが一般的である。
【０００６】
なお、製品の保護に使用されるパルプモールド製の梱包用緩衝材には、図６に示す以外に様々な形状のものが存在し、例えば、下記の特許文献１では他の形態の梱包用緩衝材が開示されている。
【特許文献１】特開２００４−３５２３１５号公報
【発明の開示】
【発明が解決しようとする課題】
【０００７】
昨今の電気製品Ｐは、商品性の向上を図るために外周面の一部を鏡面仕上げにしたり、外周面の一部にラベルを貼り付けたりしている。例えば、図６に示す電気製品Ｐでは、天面Ｐ３の中で、前面パネルの上面部Ｐ３ａを除く天面部Ｐ３ｂを鏡面仕上げにすると共に、上面部Ｐ３ａ及び天面部Ｐ３ｂをまたぐようにラベルＳを貼り付けている。
【０００８】
一方、電気製品Ｐの前面Ｐ１側を覆う梱包用緩衝材１は、図７（ａ）、図８に示すように上部リブ１ｂの先端面１ｇが電気製品Ｐの天面Ｐ３の鏡面仕上げの天面部３ｂ及び天面に貼り付けられたラベルＳと面接触する。そのため、梱包箱Ｂが積み重ねられると、下方に位置する梱包箱Ｂには垂直荷重（図７（ａ）に示す荷重Ｆ１）がかかり、天面部３ｂ及びラベルＳは上部リブ１ｂに強く押圧される状態になる。その結果、鏡面仕上げの天面部３ｂには上部リブ１ｂの当接跡が残り、ラベルＳには皺が発生するなどの事態が生じ、電気製品Ｐの外観における商品性を悪化させると云う問題が起こる。
【０００９】
また、搬送時などに梱包用緩衝材１が、図７（ａ）に示す横方向からの衝撃Ｆ２を受けると、図７（ｂ）に示すように梱包用緩衝材１の側壁部１ｆが内方に大きく撓み、それに伴い、衝撃Ｆ２に伴う荷重が側方リブ１ｅに集中して側方リブ１の先端付近が下方に倒れるため、電気製品Ｐを充分に保護するのが困難になると云う問題がある。さらに、梱包用緩衝材１が、図７（ａ）に示す下方の角部１ｄに衝撃Ｆ３を受けると、図７（ｃ）に示すように、角部１ｄが内方に大きく撓んで変形し、それに伴い衝撃Ｆ３に伴う荷重が側方リブ１ｅ及び下方リブ１ｃに集中し、側方リブ１ｅの先端付近が上方に傾くと共に下方リブ１ｃの先端は右方に倒れて、電気製品Ｐを充分に保護するのが困難になると云う問題が起こる。
【００１０】
本発明は、斯かる問題に鑑みてなされたものであり、上方から受ける垂直荷重により被梱包物の外観に悪影響が生じないようにした梱包用緩衝材を提供することを目的とする。
また、本発明は、側方及び角部に衝撃を受けた場合でも各リブに荷重が集中しないようにして、被梱包物を充分に保護できるようにした梱包用緩衝材を提供することを目的とする。
【課題を解決するための手段】
【００１１】
上記課題を解決するために本発明に係る梱包用緩衝材は、六面体状の被梱包物の端部周囲を覆うように凹状に形成してあり、被梱包物の天面に面接触するリブを凹状内部に備えるパルプモールド製の梱包用緩衝材において、前記リブは、面接触する面の端側に凹部を設けたことを特徴とする。
【００１２】
また、本発明に係る梱包用緩衝材は、六面体状の被梱包物の端部周囲を覆うように凹状に形成してあり、パルプモールド製の梱包用緩衝材において、被梱包物の角部と対角的に対向する凹状内部の内方角部から被梱包物の角部へ向けて突出する対角リブを備えることを特徴とする。
【００１３】
さらに、本発明に係る梱包用緩衝材は、六面体状の被梱包物の端部周囲を覆うように凹状に形成してあり、被梱包物の天面に面接触するリブを凹状内部に備えるパルプモールド製の梱包用緩衝材において、前記リブは、面接触する面の端側に凹部を設けており、被梱包物の角部と対角的に対向する凹状内部の内方角部から被梱包物の角部へ向けて突出する対角リブを備えることを特徴とする。
さらにまた、本発明に係る梱包用緩衝材は、前記リブには、複数の凹部が形成してあることを特徴とする。
【００１４】
本発明にあっては、被梱包物の端面に接触するリブは、面接触する面の端側に凹部を設けるので、梱包された状態で垂直荷重を受けた場合に凹部を設けた箇所に対向する天面の箇所には、リブを通じて荷重がかからなくなる。そのため、被梱包部の天面において荷重をかけたくない箇所（例えば、鏡面仕上げの箇所、ラベルを貼り付けている箇所）に対応してリブ先端面の端側に凹部を設ければ、被梱包物の外観の商品性が悪化するのを回避できる。
【００１５】
また、本発明にあっては、被梱包物の角部と対角的に対向する梱包用緩衝材の内方角部から、被梱包物の角部へ向けて斜めに突出する対角リブを設けるので、側方に衝撃を受けた場合、及び角部に衝撃を受けた場合、対角リブにも衝撃に伴う荷重がかかるため、対角リブを含む複数のリブで荷重を分散して受け止めることが可能になり、被梱包物への荷重を和らげて被梱包物に対する保護性を高められる。
【００１６】
なお、本発明にあっては、凹部を設けたリブと対角リブの両方を備えると、被梱包物の外観の商品性の悪化を回避できると共に、被梱包物に対する保護性を高められる。
さらに、本発明にあっては、複数の凹部を設けることで、被梱包部の天面に対して荷重をかけない箇所を複数設定できるようになり、様々な形態の天面を有する被梱包物の外観を、垂直荷重から保護できる。
【発明の効果】
【００１７】
本発明にあっては、被梱包物の端面に接触するリブが被梱包物の天面と接触する面に凹部を有するので、凹部に対向する天面箇所には垂直荷重がかからなくなるため、凹部に対向する天面箇所の外観が悪化することを防止できる。
また、本発明にあっては、梱包用緩衝材の内方角部から、被梱包物の角部へ向けて斜めに突出する対角リブを設けるので、側方及び角部に受けた衝撃に係る荷重を対角リブで受け止めて荷重を分散吸収し、被梱包物への荷重を和らげて被梱包物に対する保護性を高められる。
【００１８】
なお、本発明にあっては、凹部を設けたリブと対角リブの両方を備えると、被梱包物の外観の悪化を防止できると共に、衝撃に対する被梱包物の保護性を向上できる。
さらに、本発明にあっては、複数の凹部を設けることで、被梱包部の天面における複数箇所に荷重がかからないようにでき、天面が多様な外観を有していても垂直荷重の影響を回避できる。
【発明を実施するための最良の形態】
【００１９】
図１は本発明の実施形態に係る梱包用緩衝材１０を示している。梱包用緩衝材１０は、図６に示す従来の梱包用緩衝材１に対応しており、六面体状の被梱包物である電気製品Ｐの前面Ｐ１側の周囲を覆うように、凹状に形成されたパルプモールド製の部材である。なお、図１は、梱包用緩衝材１０の凹状内部１０ａ側からの視図である。
【００２０】
梱包用緩衝材１０は、電気製品Ｐを覆った状態で電気製品Ｐを保持できるように、電気製品Ｐの天面Ｐ３に当接するように上方リブ１１を突出すると共に、電気製品Ｐの側面に当接するように側壁部１０ｆから側方リブ１０ｆを突出し、さらには電気製品Ｐの下面Ｐ４を支持するように複数の下方リブ１０ｃ、１０ｈを突出している。また、本実施形態の特徴として梱包用緩衝材１０は、電気製品Ｐの下方の両側の製品角部Ｐ５、Ｐ６と対角的に対向する角部１０ｄ、１０ｇの凹状内部１０ａの内側（内方角部）から、製品角部Ｐ５、Ｐ６へ向けて斜めに対角リブ１２、１３を突出している。
【００２１】
図２に示すように上方リブ１１は、電気製品Ｐの天面Ｐ３に面接触する先端部１１ｂの先端面１１ｃの端側に肉盗み部１１ａ（凹部に相当）を設けている。この肉盗み部１１ａは、図１に示すように、ラベルＳを貼り付けた箇所に対応して形成されており、そのため上方リブ１１はラベルＳには接触していない。なお、図２中に二点鎖線で示す箇所は、図７（ａ）の従来の上方リブ１ｂでは存在していた部分１１ｄを示しており、本実施形態では、この部分１１ｄを無くすようにして肉盗み部１１ａを設けている。
【００２２】
図３は、梱包箱Ｂの積み重ね等により、図中の白矢印方向の垂直荷重を梱包用緩衝材１０が受けている場合を示している。この状態では梱包用緩衝材１０の上側の周壁が垂直荷重により撓むように変形すると共に、上方リブ１１も垂直荷重により天面Ｐ３へ押し付けられるように変形している。
【００２３】
しかし、上方リブ１１は、先端部１１ｂの先端面１１ｃだけで天面Ｐ３に面接触し、上方リブ１１と天面Ｐ３との間には肉盗み部１１ａによる空間が存在するので、上方リブ１１が撓んでも、ラベルＳに上方リブ１１の押圧力は伝わらない。そのため、梱包箱Ｂを積み重ねても電気製品Ｐに貼り付けたラベルＳに皺が生じることは無い。
【００２４】
また、図４（ａ）は、従来の図７（ｂ）に示すように衝撃を受けた場合に対応し、本実施形態の梱包用緩衝材１０は、側壁部１０ｆに衝撃を受けても、下方から斜めに突出する対角リブ１２が側方リブ１０ｅを支えるように働き、側方リブ１０ｅの先端付近の倒れ込みを抑止し、側方からの衝撃に伴う荷重を側方リブ１０ｅ及び対角リブ１２の両方で分散して受け止める。そのため、梱包用緩衝材１０は、側方からの衝撃に対する電気製品Ｐの保護性を従来に比べて高めている。
【００２５】
さらに、図４（ｂ）は、従来の図７（ｃ）に示すように衝撃を受けた場合に対応し、本実施形態の梱包用緩衝材１０は、下側の角部１０ｄに衝撃を受けても、対角リブ１２が主となって衝撃を受け止めて、側方リブ１０ｅ及び下方リブ１０ｃの倒れ込みを防止し、複数のリブ１０ｃ、１０ｅ、１２で衝撃に伴う荷重を分散して受け止める。そのため梱包用緩衝材１０は、側方からの衝撃に対する電気製品Ｐの保護性を従来に比べて高めている。
【００２６】
また、図４（ａ）（ｂ）と対向する側の側壁、下側の角部１０ｇが衝撃を受けても、角部１０ｇに設けられた対角リブ１３により、図４（ａ）、（ｂ）に示す場合と同様に、衝撃に伴う荷重を受け止めて、電気製品Ｐの保護性を高めている。
【００２７】
なお、本実施形態に係る梱包用緩衝材１０は、上述した形態に限定されるものではなく、種々の変形例の適用が可能である。例えば、電気製品Ｐの天面Ｐ３の鏡面仕上げの天面部Ｐ３ｂ（図６、図８参照）に跡が残らないようするため、上方リブ１１は天面部Ｐ３ｂに面接触しないように肉盗み部１１ａを先端面１１ｃの端側に設けてもよい。また、図６に示す電気製品Ｐとは異なる天面仕様の電気製品を覆う場合は、例えば、図５に示す変形例の梱包用緩衝材１０′のように、上方リブ１１′の先端部１１ｂ′の両側に第１肉盗み部１１ａ′及び第２肉盗み部１１ｄ′を設けてもよい。この変形例の上方リブ１１′は、天面における上方リブ１１′の対応箇所に２枚のラベルを貼り付けるような電気製品を覆う場合に好適である。
【００２８】
一方、対角リブ１２、１３は、下側の角部１０ｄ、１０ｇだけでなく、上側の角部１０ｊ、１０ｋに設けて、上側の側方への衝撃及び上側の角部１０ｇ、１０ｋへの衝撃に対しても、下側と同様に保護性を高めるようにしてもよい。なお、上方リブ１１と、対角リブ１２、１３とは、必ず両方を組み合わせた構成にする必要はなく、保護対象の被梱包物（電気製品）の外形、寸法、仕様等に応じて、上方リブ１１だけを設けた構成、対角リブ１２、１３だけを設けた構成にすることも勿論可能である。また、上述した構成は、電気製品Ｐの前面Ｐ１側の周囲を覆う梱包用緩衝材１０、１０′だけでなく、後面Ｐ２側の周囲を覆う梱包用緩衝材にも適用可能である。
【図面の簡単な説明】
【００２９】
【図１】本発明の実施形態に梱包用緩衝材の正面図である。
【図２】梱包用緩衝材の上方リブを示す斜視図である。
【図３】垂直荷重を受けた場合の上方リブの周囲状態を示す要部概略図である。
【図４】（ａ）は側方からの衝撃を受けた場合の変形状態を示す要部概略図、（ｂ）は角部に衝撃を受けた場合の変形状態を示す要部概略図である。
【図５】変形例の上方リブを示す概略図である。
【図６】従来の梱包形態の一例を示す斜視図である。
【図７】（ａ）は従来の梱包用緩衝材の要部を示す概略図、（ｂ）は側方からの衝撃を受けた場合の変形状態を示す要部概略図、（ｃ）は角部に衝撃を受けた場合の変形状態を示す要部概略図である。
【図８】従来の梱包用緩衝材の上方リブが、電気製品の天面に面接触する範囲を示す概略図である。
【符号の説明】
【００３０】
１０  梱包用緩衝材
１０ｄ、１０ｇ  角部
１１  上方リブ
１１ａ  肉盗み部（凹部）
１１ｃ  先端面
１２、１３  対角リブ
Ｐ  電気製品
Ｐ３  天面
Ｐ５、Ｐ６  製品角部
Ｓ  ラベル
【図１】
2007131345.tif 000003
【図２】
2007131345.tif 000004
【図３】
2007131345.tif 000005
【図４】
2007131345.tif 000006
【図５】
2007131345.tif 000007
【図６】
2007131345.tif 000008
【図７】
2007131345.tif 000009
【図８】
2007131345.tif 000010